(57)【特許請求の範囲】
【請求項１】
メモリカードの多重システムであって、
メモリカードと、
該メモリカードと通信接続される動的スイッチと、
該動的スイッチと通信接続され、これにより、該メモリカードのデータアクセスを行う第１アクセス装置と、
該動的スイッチと通信接続される第２アクセス装置と、
を含み、
該第２アクセス装置によって、第１アクセス信号が該動的スイッチに送信されると、該動的スイッチが、該第１アクセス装置がアイドル状態にあるかどうかを検出し、該第１アクセス装置が該アイドル状態にあることが検出されたとき、該動的スイッチによって該第２アクセス装置に切換接続され、これにより、該第２アクセス装置が該メモリカードのデータアクセスを行い、
該動的スイッチがさらにレジスタを有し、該動的スイッチによって該第２アクセス装置に切換接続され、さらに該第１アクセス装置によって第２アクセス信号が該動的スイッチに送信されると、該レジスタが該第２アクセス信号を記憶し、該動的スイッチが、第２アクセス装置が中断可能な状態にあるかどうかを検出し、該第２アクセス装置が中断可能な状態にあることが検出されたとき、該動的スイッチによって該第１アクセス装置に切換接続され、さらに該レジスタの該第２アクセス信号が該メモリカードに送信され、これにより該第１アクセス装置が該メモリカードのデータアクセスを行う、
メモリカードの多重システム。
【請求項２】
該メモリカードが、セキュアデジタル（Ｓｅｃｕｒｅ Ｄｉｇｉｔａｌ、ＳＤ）メモリカードおよびマルチメディアカード（ＭｕｌｔｉＭｅｄｉａＣａｒｄ、ＭＭＣ）のうちの１つである、請求項１に記載のメモリカードの多重システム。
【請求項３】
該第１アクセス装置が、ＳＤメモリカードのホスト（Ｈｏｓｔ）である、請求項２に記載のメモリカードの多重システム。
【請求項４】
該第２アクセス装置が、ＳＤメモリカードのホスト（Ｈｏｓｔ）である、請求項１に記載のメモリカードの多重システム。
【発明の詳細な説明】
【技術分野】
【０００１】
本発明はメモリカードの多重システムに関し、特に動的スイッチを有するメモリカードの多重システムをさす。
【背景技術】
【０００２】
電子装置の利用において、メモリカードは重要な役割を担っている。例えば、デジタルカメラ内部に使用されており、ユーザがデジタルカメラで撮影すると、撮影した写真データをメモリカードに保存することができる。
【０００３】
しかしながら、従来技術の一部のメモリカード、例えば、現在比較的普及しているセキュアデジタル（Ｓｅｃｕｒｅ  Ｄｉｇｉｔａｌ、ＳＤ）メモリカードは、１つのアクセス装置の動作にしか対応することができない。このアクセス装置は一般にマスタ（Ｍａｓｔｅｒ）またはホスト（Ｈｏｓｔ）と呼ばれ、この理由によって、メモリカードはデジタルカメラで撮影した写真データを記憶する動作を行うか、またはデジタルカメラによってメモリカード内のデータを読み込み、表示させることしかできない。
【０００４】
上述に基づき、従来技術では、静的スイッチを利用し、メモリカードのアクセス動作を複数のホストが行うことを開発した。ユーザがその他のホストを利用してメモリカードのアクセス動作を行いたいときは、現在のメモリカードのあらゆるアクセス動作が終了し、ホストによって１つの切換コマンドが静的スイッチに送信され、メモリカードが現在のホストから別のホストに切換接続されるのを経る必要がある。
【０００５】
上に述べたのは、静的スイッチを利用し、複数のホストによってメモリカードのデータアクセスが行われる技術を実現している。ユーザは、現在のホストがデータアクセスを完了し、切換コマンドが静的スイッチに送信されるのを経る必要がある。電子製品内の１つのホストがメモリカードのアクセス動作を行っているとき、その他のホストはメモリカードに対して、いかなるアクセス動作も行うことができない。したがって、ユーザが電子製品を操作するとき、明らかに遅いという感覚、または待っている感覚を覚え、操作のスムーズさに重大な影響を及ぼすことがある。
【発明の概要】
【発明が解決しようとする課題】
【０００６】
このため、本発明の主な目的は、動的スイッチを有するメモリカードの多重システムを提供することにより、メモリカードを複数のアクセス装置に同時に対応させ、データアクセス動作を行うことができるようにする。
【課題を解決するための手段】
【０００７】
メモリカードの多重システムは、メモリカード、動的スイッチ、第１アクセス装置および第２アクセス装置を含む。動的スイッチは、メモリカードと通信接続される。第１アクセス装置は動的スイッチと通信接続され、これによりメモリカードのデータアクセスが行われる。第２アクセス装置は動的スイッチと通信接続され、第２アクセス装置によって第１アクセス信号が動的スイッチに送信されると、動的スイッチは第１アクセス装置がアイドル状態にあるかどうかを検出する。第１アクセス装置がアイドル状態にあることが検出されたとき、動的スイッチによって第２アクセス装置に切換接続され、これにより、第２アクセス装置がメモリカードのデータアクセスを行う。
【０００８】
本発明の好適な実施例において、動的スイッチはさらにレジスタを有する。動的スイッチによって第２アクセス装置に切換接続され、さらに第１アクセス装置によって第２アクセス信号が動的スイッチに送信されると、レジスタが第２アクセス信号を記憶し、動的スイッチは第２アクセス装置が中断可能な状態にあるかどうかを検出する。第２アクセス装置が中断可能な状態にあることが検出されたとき、動的スイッチによって第１アクセス装置に切換接続され、さらにレジスタの第２アクセス信号がメモリカードに送信される。これにより、第１アクセス装置がメモリカードのデータアクセスを行う。
【０００９】
本発明の好適な実施例において、第１アクセス装置はＳＤメモリカードのホスト（Ｈｏｓｔ）である。
【００１０】
本発明の好適な実施例において、第２アクセス装置はＳＤメモリカードのホスト（Ｈｏｓｔ）である。
【００１１】
本発明の好適な実施例において、メモリカードはセキュアデジタル（Ｓｅｃｕｒｅ  Ｄｉｇｉｔａｌ、ＳＤ）メモリカード、およびマルチメディアカード（ＭｕｌｔｉＭｅｄｉａＣａｒｄ、ＭＭＣ）のうちの１つである。
【発明の効果】
【００１２】
従来のメモリカードシステムと比較すると、本発明は１つの動的スイッチを利用し、第１アクセス装置および第２アクセス装置に対して検出を行う。したがって、第１アクセス装置によってデータアクセス動作がスムーズに行われる前提のもと、第２アクセス装置はメモリカードのデータアクセス動作を同時に行うことができる。言い換えると、ユーザはさらにスムーズな多重操作を行うことができる。
【００１３】
本発明で採用する具体的実施例について、以下の実施例および図によってさらに説明を行う。
【図面の簡単な説明】
【００１４】
【図１】図１は、第１アクセス装置によって、メモリカードのデータアクセスが行われる概要図である。
【図２】図２は、第２アクセス装置によって、第１アクセス信号が動的スイッチに送信される概要図である。
【図３】図３は、動的スイッチによって、第２アクセス装置にメモリカードのデータアクセスを行わせる概要図である。
【図４】図４は、第２アクセス装置によって、第２アクセス信号が動的スイッチに送信される概要図である。
【図５】図５は、動的スイッチによって第１アクセス装置に切り換わる概要図である。
【発明を実施するための形態】
【００１５】
本発明は、メモリカードの多重システムに関し、特に動的スイッチを有するメモリカードの多重システムをさす。以下に列挙する好適な実施例によって本発明を説明する。しかし、本技術分野に周知の当業者であれば理解できるように、これは例を挙げたにすぎず、発明自体を限定するものではない。本好適な実施例に関する内容を、以下に詳細に述べる。
【実施例】
【００１６】
図１、図２および図３を参照されたい。図１は、第１アクセス装置によってメモリカードのデータアクセスが行われる概要図であり、図２は、第２アクセス装置によって、第１アクセス信号が動的スイッチに送信される概要図であり、図３は、動的スイッチによって、第２アクセス装置にメモリカードのデータアクセスを行わせる概要図である。本発明のメモリカードの多重システム１００は、メモリカード１１、動的スイッチ１２、第１アクセス装置１３および第２アクセス装置１４を含む。
【００１７】
動的スイッチ１２は、メモリカード１１と通信接続される。第１アクセス装置１３は動的スイッチ１２と通信接続され、これによりメモリカード１１のデータアクセスが行われる。第２アクセス装置１４は、動的スイッチ１２と通信接続される。本発明をさらに明確に叙述するため、例を挙げて述べると、本発明の好適な実施例において、第１アクセス装置１３はＳＤメモリカードのホスト（Ｈｏｓｔ）でよい。デジタルカメラに使用した場合、第１アクセス装置１３は写真処理ユニットでよく、撮影した写真を信号Ｓ１によってメモリカード１１内に保存するか、またはメモリカード１１から信号Ｓ２を読み込み、表示することに使用される。そのほか、第２アクセス装置１４はＳＤメモリカード１１のホスト（Ｈｏｓｔ）でよく、メモリカードは１つのアクセス装置と、同時に１対１でデータアクセス動作を行うことしかできないメモリカード１１でよい。例えばセキュアデジタル（Ｓｅｃｕｒｅ  Ｄｉｇｉｔａｌ、ＳＤ）メモリカード、またはマルチメディアカード（ＭｕｌｔｉＭｅｄｉａＣａｒｄ、ＭＭＣ）である。
【００１８】
第２アクセス装置１４によって、第１アクセス信号Ｓ３が動的スイッチ１２に送信されると、動的スイッチ１２は、第１アクセス装置１３がアイドル状態にあるかどうかを検出する。第１アクセス装置１３がアイドル状態にあることが検出されたとき、動的スイッチ１２によって第２アクセス装置１４に切換接続され、これにより、第２アクセス装置１４がメモリカード１１のデータアクセス、例えば、メモリカード１１から信号Ｓ４を読み込むか、またはメモリカード１１に信号Ｓ５を書き込むことを行う。本発明の好適な実施例において、前述したアイドル状態とは、例えば第１アクセス装置１３がすでにいかなるコマンド（ｃｏｍｍａｎｄ）も実行していないことである。
【００１９】
続いて図４および図５を参照されたい。図４は、第２アクセス装置によって、第２アクセス信号が動的スイッチに送信される概要図であり、図５は、動的スイッチによって、第１アクセス装置に切り換わる概要図である。第１アクセス装置１３が、さらにスムーズなデータアクセスの動作を行うことができるようにするため、動的スイッチ１２はさらにレジスタ１２１を有してもよい。動的スイッチ１２によって、第２アクセス装置１４に切換接続され、さらに第１アクセス装置１３によって第２アクセス信号Ｓ６が動的スイッチ１２に送信されると、レジスタ１２１は第２アクセス信号Ｓ６を記憶し、動的スイッチ１２は、第２アクセス装置１４が中断可能な状態にあるかどうかを検出する。第２アクセス装置１４が中断可能な状態にあることが検出されたとき、動的スイッチ１２によって第１アクセス装置１３に切換接続される。さらにレジスタ１２１の第２アクセス信号Ｓ６がメモリカード１１に送信され、これにより第１アクセス装置１３が、メモリカード１１のデータアクセス、例えばメモリカード１１から信号Ｓ７を読み込むか、またはメモリカード１１に信号Ｓ８を書き込むことを行う。本発明の好適な実施例において、前述した中断可能な状態とは、例えば、第２アクセス装置１４がすでにいかなるコマンド（ｃｏｍｍａｎｄ）も実行していないか、または第２アクセス装置１４によって送信される複数のデータパケットの任意の１つの送信が完了したとき、中断可能な状態にあると判断できる。そのうち、後者の判断方法として、第１アクセス装置１３に、第２アクセス装置１４と比較して比較的高い優先権を持たせることができる。第１アクセス装置１３の稼働のスムーズさは、第２アクセス装置１４がメモリカード１１のデータアクセスを行うことによる、いかなる影響も受けることはない。
【００２０】
動的スイッチ１２について述べると、第１アクセス装置１３および第２アクセス装置１４が、優先権の概念によって存在することができることを、上述からはっきりと見出すことができる。第１アクセス装置１３が比較的高い優先権を有するとき、第２アクセス装置１４は、第１アクセス装置１３がいかなるコマンドも実行していないときしかメモリカード１１のデータアクセスを行うことができない。さらに第１アクセス装置１３で、メモリカード１１のデータアクセスを行いたいとき、第２アクセス装置１４のデータアクセスが１つの中断可能な程度まで実行されると、動的スイッチ１２によってすぐに第１アクセス装置１３に切換接続される。当然、本発明の好適な実施例において、ソフトウェアを利用して、動的スイッチ１２の設定を行い、第１アクセス装置１３および第２アクセス装置１４間を変更することができる。さらには、より多くのアクセス装置間の優先権の程度関係によって、ユーザがさらに柔軟性のある操作を行えるようにする。
【００２１】
上記をまとめると、従来のメモリカードシステムと比較すると、本発明は１つの動的スイッチ１２を利用し、第１アクセス装置１３および第２アクセス装置１４に対して検出を行う。したがって、第１アクセス装置１３によってデータアクセス動作がスムーズに行われる前提のもと、メモリカード１１のデータアクセス動作を同時に行うことができる。
【００２２】
以上の好適な具体的実施例の詳細な記述により、本発明の特徴および趣旨がさらに明確に説明されたことを望むが、上述によって開示された好適な具体的実施例は、本発明の範疇を制限するものではない。反対にその目的は、各種変更および相等性を有する措置が、本発明で申請する特許請求の範囲の範疇に含まれうることである。
【符号の説明】
【００２３】
１００  メモリカードの多重システム
１１  メモリカード
１２  動的スイッチ
１２１  レジスタ
１３  第１アクセス装置
１４  第２アクセス装置
Ｓ１  信号
Ｓ２  信号
Ｓ４  信号
Ｓ５  信号
Ｓ７  信号
Ｓ８  信号
Ｓ３  第１アクセス信号
Ｓ６  第２アクセス信号
【図１】
0005630715.tif 000002
【図２】
0005630715.tif 000003
【図３】
0005630715.tif 000004
【図４】
0005630715.tif 000005
【図５】
0005630715.tif 000006